(57)【要約】【課題】透水性、通気性に優れ、使用中に蒸れ難く、衛生的であり、高反発でクッション性、体圧分散性に優れるため、連続使用しても、腰痛や床ずれ等が発生し難く、使用者の負担が少なく、必要に応じて内部のクッション材の洗浄、交換が可能で、長期間にわたって快適な寝心地を維持できるチェアベッド用マットレスを提供する。【解決手段】合成樹脂で中実又は中空に成形された線状材が屈曲してループ及びカールのいずれか一方又は双方を形成し、隣接する線状材同士が接触絡合することにより集合して形成された三次元網状構造体からなるクッション材１２と、透水性及び通気性を有するメッシュ生地で形成され、クッション材１２が収容される袋体１１とを有し、クッション材１２は、上半身側クッション材１６と、下半身側クッション材１７に分割されており、上半身側クッション材１６の密度が、下半身側クッション材１７の密度より小さい。【選択図】図１
0003213574.tif 000002
【実用新案登録請求の範囲】
【請求項１】
背もたれと座部を有するチェアベッドの上に着脱自在に敷設されて使用されるチェアベッド用マットレスであって、
合成樹脂で中実又は中空に成形された線状材が屈曲してループ及びカールのいずれか一方又は双方を形成し、隣接する前記線状材同士が接触絡合することにより集合して形成された三次元網状構造体からなるクッション材と、透水性及び通気性を有するメッシュ生地で形成され、前記クッション材が収容される袋体とを有し、前記クッション材は、前記背もたれを覆う上半身側クッション材と、少なくとも前記座部を覆う下半身側クッション材に分割されており、前記上半身側クッション材の密度が、前記下半身側クッション材の密度より小さいことを特徴とするチェアベッド用マットレス。
【請求項２】
請求項１記載のチェアベッド用マットレスにおいて、前記上半身側クッション材の見掛密度は、前記下半身側クッション材の見掛密度の０．５〜０．９倍の範囲にあることを特徴とするチェアベッド用マットレス。
【請求項３】
背もたれと座部を有するチェアベッドの上に着脱自在に敷設されて使用されるチェアベッド用マットレスであって、
合成樹脂で中実又は中空に成形された線状材が屈曲してループ及びカールのいずれか一方又は双方を形成し、隣接する前記線状材同士が接触絡合することにより集合して形成された三次元網状構造体からなるクッション材と、透水性及び通気性を有するメッシュ生地で形成され、前記クッション材が収容される袋体とを有し、前記クッション材は、前記背もたれを覆う上半身側クッション材と、少なくとも前記座部を覆う下半身側クッション材に分割されており、前記上半身側クッション材の密度と、前記下半身側クッション材の密度は等しいことを特徴とするチェアベッド用マットレス。
【請求項４】
請求項１〜３のいずれか１記載のチェアベッド用マットレスにおいて、前記袋体の底面に、滑り止め部材が設けられていることを特徴とするチェアベッド用マットレス。
【請求項５】
請求項１〜４のいずれか１記載のチェアベッド用マットレスにおいて、前記袋体は、仕切り部により、前記上半身側クッション材が収容される上半身側収容部と、前記下半身側クッション材が収容される下半身側収容部に仕切られていることを特徴とするチェアベッド用マットレス。
【請求項６】
請求項５記載のチェアベッド用マットレスにおいて、前記上半身側収容部と前記下半身側収容部は、それぞれ平面視して矩形又は台形であることを特徴とするチェアベッド用マットレス。
【請求項７】
請求項１〜６のいずれか１記載のチェアベッド用マットレスにおいて、前記座部には、更にフットレストが連続して設けられて、前記下半身側クッション材は、該座部と該フットレストを覆っていることを特徴とするチェアベッド用マットレス。
【請求項８】
請求項１〜６のいずれか１記載のチェアベッド用マットレスにおいて、前記袋体の上半身側端部及び下半身側端部には、前記背もたれに固定される上半身側固定片、及び前記座部に固定される下半身側固定片を有することを特徴とするチェアベッド用マットレス。
【請求項９】
請求項７記載のチェアベッド用マットレスにおいて、前記袋体の上半身側端部及び下半身側端部には、前記背もたれに固定される上半身側固定片、及び前記フットレストに固定される下半身側固定片を有することを特徴とするチェアベッド用マットレス。
【考案の詳細な説明】
【技術分野】
【０００１】
本考案は、病院等で人工透析や点滴等を行う際に使用されるチェアベッドの上に着脱自在に敷設されるチェアベッド用マットレスに関する。
【背景技術】
【０００２】
従来、人工透析や点滴等の治療を受ける患者は、ベッドの上に寝た状態か、椅子に座った状態となるため、治療時間が長くなると、苦痛を感じ易くなる。特に、人工透析は、一度の治療に５時間程度かかり、週に３回程度の治療が必要であるため、床ずれ（褥瘡）や腰痛の発生原因にもなっている。
例えば、特許文献１には、座部に対して背もたれと大腿受け部が揺動可能に設けられることにより、椅子としても、ベッドとしても使用することができる椅子とベッドとを兼ね備えたチェアベッドが開示されている。また、特許文献２には、背凭れの変位に連動して座部や前垂れを変位させ、患者の体位をベッドに寝かせた状態やその他の体位に対応させて変化させることができる人工透析用治療椅子が開示されている。
【先行技術文献】
【特許文献】
【０００３】
【特許文献１】国際公開第２０１３／１３６５８０号
【特許文献２】特開２００９−２２５９１６号公報
【考案の概要】
【考案が解決しようとする課題】
【０００４】
しかしながら、特許文献１、特許文献２は、いずれも患者（使用者）が楽な姿勢で治療を受けられるように、リクライニング機構（リンク機構）の構造や動作に着目したものである。よって、特許文献１、特許文献２では、患者の身体を支持する座部や背もたれ等の材質や構造等については考慮されていない。特に、特許文献１のチェアベッドのように、座部や背もたれ等の各部にクッション材が内蔵され、表層にレザーが貼られたものは、蒸れ易く、寝心地が悪く、長時間連続して使用する用途には向かないという問題があった。また、特許文献１、特許文献２のような従来のチェアベッドや人工透析用治療椅子の座部や背もたれ等に内蔵されるクッション材としては、ウレタンフォーム（発泡ウレタン）が主流であるが、発泡ウレタン素材は柔らかく、バネ性が低い（低反発である）ため、潰れ易く、体圧分散性に欠け、患者の首や腰等への負担が大きくなって疲れ易く、床ずれを防ぐことができず、快適性に欠けるという問題があった。さらに、発泡ウレタン素材は長時間圧縮されると圧縮硬化し易く、クッション性が悪くなるが、内部のクッション材のみを取り出して交換することは困難であり、経時安定性、耐久性に欠けるという問題もあった。
【０００５】
本考案は、かかる事情に鑑みてなされたもので、チェアベッドの上に着脱自在に敷設して使用され、透水性、通気性に優れ、使用中に蒸れ難く、衛生的であり、高反発でクッション性、体圧分散性に優れるため、連続使用しても、腰痛や床ずれ等が発生し難く、使用者の負担を軽減することができ、必要に応じて内部のクッション材の洗浄、交換が可能で、長期間にわたって快適な寝心地を維持することができるチェアベッド用マットレスを提供することを目的とする。
【課題を解決するための手段】
【０００６】
前記目的に沿う第１の考案に係るチェアベッド用マットレスは、背もたれと座部を有するチェアベッドの上に着脱自在に敷設されて使用されるチェアベッド用マットレスであって、
合成樹脂で中実又は中空に成形された線状材が屈曲してループ及びカールのいずれか一方又は双方を形成し、隣接する前記線状材同士が接触絡合することにより集合して形成された三次元網状構造体からなるクッション材と、透水性及び通気性を有するメッシュ生地で形成され、前記クッション材が収容される袋体とを有し、前記クッション材は、前記背もたれを覆う上半身側クッション材と、少なくとも前記座部を覆う下半身側クッション材に分割されており、前記上半身側クッション材の密度が、前記下半身側クッション材の密度より小さい。
【０００７】
第１の考案に係るチェアベッド用マットレスにおいて、前記上半身側クッション材の見掛密度は、前記下半身側クッション材の見掛密度の０．５〜０．９倍の範囲にあることが好ましい。
【０００８】
前記目的に沿う第２の考案に係るチェアベッド用マットレスは、背もたれと座部を有するチェアベッドの上に着脱自在に敷設されて使用されるチェアベッド用マットレスであって、
合成樹脂で中実又は中空に成形された線状材が屈曲してループ及びカールのいずれか一方又は双方を形成し、隣接する前記線状材同士が接触絡合することにより集合して形成された三次元網状構造体からなるクッション材と、透水性及び通気性を有するメッシュ生地で形成され、前記クッション材が収容される袋体とを有し、前記クッション材は、前記背もたれを覆う上半身側クッション材と、少なくとも前記座部を覆う下半身側クッション材に分割されており、前記上半身側クッション材の密度と、前記下半身側クッション材の密度は等しい。
【０００９】
第１、第２の考案に係るチェアベッド用マットレスにおいて、前記袋体の底面に、滑り止め部材が設けられていることが好ましい。
【００１０】
第１、第２の考案に係るチェアベッド用マットレスにおいて、前記袋体は、仕切り部により、前記上半身側クッション材が収容される上半身側収容部と、前記下半身側クッション材が収容される下半身側収容部に仕切られていることが好ましい。
【００１１】
第１、第２の考案に係るチェアベッド用マットレスにおいて、前記上半身側収容部と前記下半身側収容部は、それぞれ平面視して矩形又は台形であることが好ましい。
【００１２】
第１、第２の考案に係るチェアベッド用マットレスにおいて、前記座部には、更にフットレストが連続して設けられて、前記下半身側クッション材は、該座部と該フットレストを覆っていることが好ましい。
【００１３】
第１、第２の考案に係るチェアベッド用マットレスにおいて、前記袋体の上半身側端部及び下半身側端部には、前記背もたれに固定される上半身側固定片、及び前記座部に固定される下半身側固定片を有することが好ましい。
【００１４】
第１、第２の考案に係るチェアベッド用マットレスにおいて、前記袋体の上半身側端部及び下半身側端部には、前記背もたれに固定される上半身側固定片、及び前記フットレストに固定される下半身側固定片を有することが好ましい。
【考案の効果】
【００１５】
第１、第２の考案に係るチェアベッド用マットレスは、クッション材として三次元網状構造体を用いることにより、柔らかさとバネ性を兼ね備え、高いクッション性と体圧分散効果を得ることができる。また、三次元網状構造体からなるクッション材は、洗浄が可能で、乾燥性にも優れ、長期間にわたって清潔に使用することができる。さらに、クッション材が通気性に優れるだけでなく、クッション材が収容される袋体も透水性及び通気性を有するメッシュ生地で形成されていることにより、使用者（患者）が長期間使用しても蒸れ難く、不快感を低減し、使用者の負担を軽減することができる。また、クッション材が、上半身側クッション材と、下半身側クッション材に分割されているので、チェアベッドのリクライニング機構によって背もたれと座部との間の角度を変化させた際に、その角度に応じて、上半身側クッション材と下半身側クッション材との間の角度を変化させ、背もたれ及び座部の表面形状に沿うようにチェアベッド用マットレスを載置することができ、チェアベッド用マットレスの載置安定性に優れる。
【００１６】
袋体の底面に、滑り止め部材が設けられている場合、チェアベッドの上に載置されるチェアベッド用マットレスの位置ずれや落下を効果的に防止することができる。
袋体が、仕切り部によって、上半身側クッション材が収容される上半身側収容部と、下半身側クッション材が収容される下半身側収容部に仕切られている場合、チェアベッド用マットレスを使用時にチェアベッドの表面形状に沿わせて変形させたり、非使用後に折り畳んで保管したりする際に、分割されて収容される上半身側クッション材と、下半身側クッション材の移動を防いでスムーズに変形させることができ、取り扱い性に優れる。
上半身側収容部と下半身側収容部が、それぞれ平面視して矩形又は台形である場合、使用者の上半身及び下半身全体を確実に支持することができる。
座部に、更にフットレストが連続して設けられて、下半身側クッション材が、座部とフットレストを覆っている場合、使用者の脚全体を下半身側クッション材で確実に支持することができ、座部とフットレストとの間の角度を変化させても、苦痛を感じることなく、楽な姿勢でリラックスして使用することができる。
袋体の上半身側端部及び下半身側端部に、背もたれに固定される上半身側固定片、及び座部に固定される下半身側固定片を有する場合、チェアベッド用マットレスの長手方向の両端部をより確実に固定することができる。特に、背もたれを直立状態に近付けても、チェアベッド用マットレスの上半身側端部が使用者に倒れかかることがなく、快適性に優れる。また、チェアベッドに乗り降りする際に、チェアベッド用マットレスの下半身側端部がめくれたり、位置ずれしたりすることがなく、使用性に優れる。
袋体の上半身側端部及び下半身側端部に、背もたれに固定される上半身側固定片、及びフットレストに固定される下半身側固定片を有する場合、チェアベッド用マットレスの長手方向の両端部をより確実に固定することができる。特に、背もたれやフットレストの角度を変化させた際に、チェアベッド用マットレス全体が、チェアベッドの表面形状に沿うように変形して様々な姿勢に対応することができ、使用性に優れる。
【００１７】
さらに、第１の考案に係るチェアベッド用マットレスは、上半身側クッション材の密度が、下半身側クッション材の密度より小さいので、高反発でありながら、柔らかい上半身側クッション材で、使用者の上半身（腰より上方）を包み込むように支持することができ、腰痛や床ずれ等の発生を効果的に防止することができる。特に、上半身側クッション材の密度が、下半身側クッション材の見掛密度の０．５〜０．９倍の範囲にある場合、使用者の上半身と下半身がバランスよく支持され、快適な寝心地を得ることができる。
また、第２の考案に係るチェアベッド用マットレスは、上半身側クッション材の密度と、下半身側クッション材の密度が等しいことにより、量産性に優れ、上半身側クッション材と下半身側クッション材を区別なく使用することができ、取り扱い性に優れる。
【図面の簡単な説明】
【００１８】
【図１】本考案の一実施の形態に係るチェアベッド用マットレスの平面図である。
【図２】同チェアベッド用マットレスの側面図である。
【図３】同チェアベッド用マットレスの底面図である。
【図４】図１のＡ−Ａ線矢視断面図である。
【図５】同チェアベッド用マットレスの使用状態の説明図である。
【考案を実施するための形態】
【００１９】
続いて、添付した図面を参照しつつ、本考案を具体化した実施の形態につき説明し、本考案の理解に供する。
本考案の一実施の形態に係るチェアベッド用マットレス１０は、図５に示すように、病院等で人工透析や点滴等を行う際に使用されるチェアベッド３０の上に着脱自在に敷かれ、背もたれ３１、座部３２及びフットレスト３３を覆うものである。なお、図５では、チェアベッド３０の脚部、キャスター、アームレスト等は省略している。
図１〜図５に示すように、チェアベッド用マットレス１０は、袋体１１の内部にクッション材１２が収容されたものである。なお、袋体１１は、縫い目からなる仕切り部１３によって上半身側収容部１４と、下半身側収容部１５に仕切られており、クッション材１２は、上半身側収容部１４に収容されて背もたれ３１を覆う上半身側クッション材１６と、下半身側収容部１５に収容されて座部３２とフットレスト３３を覆う下半身側クッション材１７に分割されている。
【００２０】
例えば、上半身側収容部１４は、平面視して上底が５００〜６００ｍｍ、下底が４５０〜５５０ｍｍ、高さが８００〜１２００ｍｍの台形（等脚台形）に形成し、下半身側収容部１５は、平面視して上底が４５０〜５５０ｍｍ、下底が４００〜５００ｍｍ、高さが８００〜１２００ｍｍの台形（等脚台形）に形成することができるが、それぞれの大きさは、これらに限定されるものではなく、チェアベッド用マットレス１０が設置されるチェアベッド３０の背もたれ３１、座部３２及びフットレスト３３の大きさに応じて、適宜、選択することができる。また、上半身側収容部１４及び下半身側収容部１５（袋体１１）の形状は、背もたれ３１、座部３２及びフットレスト３３の形状（縦横比等）に応じて、適宜、選択することができる。本実施の形態では、上半身側収容部１４及び下半身側収容部１５のいずれも、平面視して上底よりも下底が短い台形としたが、平面視していずれか一方又は両方を上底よりも下底が長い台形としてもよいし、平面視していずれか一方又は両方を矩形（長方形又は正方形を含む）に形成してもよい。
【００２１】
袋体１１は、透水性及び通気性を有するメッシュ生地で形成されている。メッシュ生地には全面にメッシュ孔（図示せず）が設けられており、メッシュ孔の開口面積は、例えば、０．１〜４ｃｍ２／個、好ましくは０．４〜２ｃｍ２／個である。このメッシュ生地としては、軽量で弾力性があり、速乾性にも優れるダブルラッセル生地が好適に用いられるが、ラッセル生地やその他のメッシュ生地を用いてもよい。また、材質としては、ポリエステルが好適に用いられるが、ナイロン、ポリエチレン、その他の合成樹脂を用いてもよい。
【００２２】
上半身側クッション材１６及び下半身側クッション材１７としては、図４に示すように、合成樹脂で中実又は中空に成形された線状材が屈曲してループ及びカールのいずれか一方又は双方を形成し、隣接する線状材同士が接触絡合することにより集合して形成された三次元網状構造体が用いられる。
三次元網状構造体を構成する線状材としては、ポリエステル樹脂、ポリオレフィン樹脂、ポリ塩化ビニル樹脂、ポリアミド樹脂、フッ素樹脂、生分解性樹脂など、熱可塑性樹脂を押し出し成形等して形成されるバネ弾性を有する繊維を用いることができる。また、ポリオレフィン系樹脂（例えば、ポリプロピレン又はポリエチレン）と、酢酸ビニル樹脂、エチレン酢酸ビニル共重合体、又はスチレンブタジエンスチレンとの混合樹脂を用いてもよい。ここで、ポリオレフィン系樹脂と、酢酸ビニル樹脂又はエチレン酢酸ビニル共重合体から混合樹脂を作製する場合、ポリオレフィン系樹脂７０〜９７質量％に対して酢酸ビニルが３〜３０質量％含有されるように調製したものが好適に用いられる。また、ポリオレフィン系樹脂とスチレンブタジエンスチレンから混合樹脂を作製する場合、ポリオレフィン系樹脂５０〜９７質量％に対してスチレンブタジエンスチレンが３〜５０質量％含有されるように調製したものが好適に用いられる。
なお、線状材が中実の場合の外径は、例えば０．２〜３ｍｍであり、線状材が中空の場合の外径は、例えば１〜３ｍｍである。
【００２３】
以上のようにして形成された多数本の線状材を、複数のループ及びカールのいずれか一方又は双方を形成するように、上下左右ランダムに三次元的に屈曲させると共に絡み合わせ、これを加熱処理等して、絡み合った線状材同士の接触部を溶着などで接合することによって、線状材を三次元網状に集合させた三次元網状構造体を形成することができる。この三次元網状構造体は線状材が絡み合った疎な構造を有し、ウレタンフォーム（発泡ウレタン）よりも高反発である。なお、上半身側クッション材１６と下半身側クッション材１７は、いずれも三次元網状構造体からなるが、上半身側クッション材１６の見掛密度（嵩密度）は、下半身側クッション材１７の見掛密度の０．５〜０．９倍の範囲にあることが好ましい。例えば、下半身側クッション材１７の見掛密度を１０〜３０ｋｇ／ｍ３程度とし、上半身側クッション材１６の見掛密度を５〜２７ｋｇ／ｍ３とすることができるが、これに限定されるものではない。このとき、上半身側クッション材１６及び下半身側クッション材１７に用いられる三次元網状構造体を構成する線状材の材質や外径は、同一でも異なっていてもよい。よって、上半身側クッション材１６及び下半身側クッション材１７の見掛密度は、線状材の充填量又は線状材の種類（材質や外径）によって調整してもよいし、これらを組み合わせて調整してもよい。また、本実施の形態では、上半身側クッション材１６の厚さを３５ｍｍとし、下半身側クッション材１７の厚さを３０ｍｍとしたが、これに限定されるものではなく、いずれも３０〜８０ｍｍ程度の範囲から、適宜、選択することができる。
【００２４】
図２に示すように、袋体１１の一方の側面１８には開閉部１９が設けられており、この開閉部１９を開放することにより、袋体１１に対して上半身側クッション材１６及び下半身側クッション材１７を出し入れすることができる。上半身側クッション材１６及び下半身側クッション材１７は、袋体１１から取り出すことにより、容易に洗浄して乾燥することができ、常に清潔な状態で使用することができる。特に、上半身側クッション材１６と下半身側クッション材１７に分割されていることにより、袋体１１への出し入れが容易であり、選択的に洗浄や交換を行うことができ、メンテナンス性に優れる、
開閉部１９としては、線ファスナー（ジッパー）が好適に用いられるが、その他に、面ファスナー、ボタン、ホック等を用いることができ、２以上を適宜、組み合わせて用いてもよい。なお、本実施の形態のように、袋体１１の略全長にわたって、上半身側収容部１４と下半身側収容部１５に跨がるように開閉部１９を設けることにより、量産性に優れるが、上半身側収容部１４と下半身側収容部１５に分割して開閉部を設けてもよい。
【００２５】
次に、図１、図２、図３、図５に示すように、袋体１１（上半身側収容部１４）の上半身側端部２０には上半身側固定片２１が連接され、袋体１１（下半身側収容部１５）の下半身側端部２２には下半身側固定片２３が連接されている。そして、上半身側固定片２１の先端（自由端）側には、背もたれ３１の底面側（裏側）に着脱自在に固定される上半身側固定部材２４が設けられ、下半身側固定片２３の先端（自由端）側には、フットレスト３３の端部に着脱自在に固定される下半身側固定部材２５が設けられている。上半身側固定部材２４及び下半身側固定部材２５としては、線ファスナーが好適に用いられる。互いに噛合う複数のエレメント（務歯）を有する一対のファスナーエレメント列のうち、一方のファスナーエレメント列を上半身側固定部材２４及び下半身側固定部材２５として、上半身側固定片２１及び下半身側固定片２３の先端側の幅方向に沿って取付け、対となる他方のファスナーエレメント列を背もたれ３１の底面側及びフットレスト３３の端部の所定位置に予め取付けておくことにより、上半身側固定片２１及び下半身側固定片２３を背もたれ３１及びフットレスト３３に簡単かつ確実に固定することができる。なお、上半身側固定部材及び下半身側固定部材は、これに限定されるものではなく、面ファスナー、ボタン、ホック等の着脱自在な雄部材と雌部材からなる固定手段を用いることができる。いずれの場合も、雄部材又は雌部材を上半身側固定部材及び下半身側固定部材として上半身側固定片及び下半身側固定片に取付け、対となる雌部材又は雄部材を背もたれ及びフットレストの所定位置に取付ければよい。なお、本実施の形態では、上半身側固定片２１を背もたれ３１の底面側に固定し、下半身側固定片２３をフットレスト３３の端部に固定したが、その形状や大きさは適宜、選択することができ、上半身側固定片を背もたれの端部に固定したり、下半身側固定片をフットレストの底面側に固定したりしてもよい。また、フットレストのないチェアベッドで使用する場合は、下半身側固定片を座部の端部や底面側に固定すればよい。
【００２６】
次に、図３に示すように、袋体１１の下半身側収容部１５の底面２６には２箇所の滑り止め部材２７、２８が設けられている。滑り止め部材２７、２８としては、面ファスナーが好適に用いられる。着脱自在な一対の雄部材と雌部材からなる面ファスナーの雄部材又は雌部材を滑り止め部材２７、２８として下半身側収容部１５の底面２６に取付け、対となる雌部材又は雄部材を座部３２の表面の所定位置に予め取付けておくことにより、座部３２の表面に下半身側収容部１５を簡単かつ確実に保持することができ、チェアベッド用マットレス１０全体の位置ずれやチェアベッド３０からの落下を防止できる。なお、滑り止め部材は、これに限定されるものではなく、ボタンやホック等を用いてもよい。また、本実施の形態では、下半身側収容部１５の座部３２と重なる位置に滑り止め部材２７、２８を設けたが、下半身側収容部１５のフットレスト３３と重なる位置や上半身側収容部１４の背もたれ３１と重なる位置に滑り止め部材を設けてもよい。なお、下半身側収容部１５のフットレスト３３と重なる位置や上半身側収容部１４の背もたれ３１と重なる位置に滑り止め部材を設けた場合は、上半身側固定片２１や下半身側固定片２３を省略してもよい。
【００２７】
以上、本考案の実施の形態を説明したが、本考案は、上記した形態に限定されるものではなく、要旨を逸脱しない条件の変更等は全て本考案の適用範囲である。
上記実施の形態では、上半身側クッション材１６及び下半身側クッション材１７はそれぞれ均一の厚さに形成したが、場所によって厚さが異なっていてもよい。例えば、下半身側クッション材の厚さが、下半身側端部から上半身側に向かって薄くなるように、下半身側クッション材の表面（上面）を直線状に傾斜させたり、緩やかに湾曲させたりしてもよい。また、上記実施の形態では、上半身側クッション材１６の厚さが、下半身側クッション材１７の厚さより厚くなるように形成したが、両者の厚さを同一に形成してもよいし、上半身側クッション材の厚さが、下半身側クッション材の厚さより薄くなるように形成してもよい。
なお、上記実施の形態では、縫い目からなる仕切り部により、袋体を上半身側収容部と下半身側収容部に仕切ったが、仕切り部は必ずしも袋体の幅全体に設ける必要はなく、一部のみに設けてもよいし、断続的に設けてもよい。また、上半身側収容部と下半身側収容部の間に仕切り部を設ける代わりに、袋体の断面を絞ってくびれを設けてもよいし、仕切り部を省略することもできる。
また、上記実施の形態では、上半身側クッション材の密度が、下半身側クッション材の密度より小さくなるようにしたが、両者の密度を同じにしてもよい。その場合でも、上半身側クッション材と下半身側クッション材に分割することにより、それぞれが長尺になり過ぎず、取り扱い性に優れるが、両者を分割せず、１つのクッション材としてもよい。
【符号の説明】
【００２８】
１０：チェアベッド用マットレス、１１：袋体、１２：クッション材、１３：仕切り部、１４：上半身側収容部、１５：下半身側収容部、１６：上半身側クッション材、１７：下半身側クッション材、１８：側面、１９：開閉部、２０：上半身側端部、２１：上半身側固定片、２２：下半身側端部、２３：下半身側固定片、２４：上半身側固定部材、２５：下半身側固定部材、２６：底面、２７、２８：滑り止め部材、３０：チェアベッド、３１：背もたれ、３２：座部、３３：フットレスト
【図１】
0003213574.tif 000003
【図２】
0003213574.tif 000004
【図３】
0003213574.tif 000005
【図４】
0003213574.tif 000006
【図５】
0003213574.tif 000007